(57)【要約】【課題】本発明は、撮影規制被写体の撮影を確実に規制することができる光通信装置及び撮影装置を提供する。【解決手段】指向性を有する光線に所定のデータを変調して送信する光通信装置１２を撮影規制絵画１６の近傍に設置し、この光通信送信装置１２から撮影規制信号を、指向性のある光線によりデジタルカメラ１０の受光エリアに向けて送信する。光線は指向性があるため、デジタルカメラ１０が撮影規制絵画１６に向いたときのみ撮影が規制される。よって、撮影規制絵画１６の撮影を確実に規制することができる。【選択図】      図１
2011254543.tif 000002
【特許請求の範囲】
【請求項１】
被写体の近傍に配置され、指向性を有する光線に所定のデータを変調して送信する光通信装置を備えるとともに、撮影の規制又は許可に関する前記データを特定の受光エリアに対して選択的に送信する手段を備えた送信装置と、
指向性を有する前記光線を受光して、撮影の規制又は許可に関する前記データを受信し、この受信データに基づいて撮影・記録の規制・許可又は警告を行う撮影装置と、
からなることを特徴とする撮影システム。
【請求項２】
被写体の近傍に配置され、指向性を有する光線に所定のデータを変調して送信する光通信装置を備えるとともに、撮影の規制又は許可に関する前記データを特定の受光エリアに対して選択的に送信する手段を備えた送信装置と、
所定の角度範囲からの指向性を有する前記光線を受光して、撮影の規制又は許可に関する前記データを受信し、この受信データに基づいて撮影・記録の規制・許可又は警告を行う撮影装置と、
からなることを特徴とする撮影システム。
【請求項３】
指向性を有する光線に所定のデータを変調して送信する光通信装置であって、撮影規制被写体周辺から所定の受光エリアに向けて前記所定のデータを前記光線により送信することを特徴とする光通信装置。
【請求項４】
撮影規制被写体の方向に向けられると、指向性を有する光線に所定のデータを変調して送信する光通信装置からの前記光線を受光し、該光線から前記所定のデータを読み出して、所定の動作を規制することを特徴とする撮影装置。
【請求項５】
前記撮影装置によって規制する前記所定の動作は、撮影動作又はストロボ発光動作であることを特徴とする請求項４に記載の撮影装置。
【請求項６】
前記撮影装置は、前記光線を受光したことを表示する表示手段を備えたことを特徴とする請求項４又は５に記載の撮影装置。
【請求項７】
指向性を有する光線に所定のデータを変調して送信する光通信装置からの信号を、撮影レンズを介して受光する受光手段を備えたことを特徴とする撮影装置。
【請求項８】
指向性を有する光線に所定のデータを変調して送信する光通信装置からの信号を、撮影レンズ及び反射ミラーを介して受光する受光手段を備えたことを特徴とする撮影装置。
【発明の詳細な説明】
【技術分野】
【０００１】
本発明は撮影システム及び光通信装置並びに撮影装置に係り、特に指向性のある光線を光通信装置から送信し、この光線を撮影装置が受光することにより撮影動作を規制する撮影システム及び光通信装置並びに撮影装置に関する。
【背景技術】
【０００２】
観光地や美術館等の展示場における所定の区域の撮影を規制するために、撮影規制を伴う電波により送信される制御信号を送信機によって撮影規制対象物の周辺に送信し、一方でカメラやカメラ機能を有する携帯電話機等の撮影装置には、前記制御信号を受信する受信部を設け、制御信号の受信中には撮影装置による撮影を規制するという撮影システムが知られている（特許文献１及び特許文献２）。
【先行技術文献】
【特許文献】
【０００３】
【特許文献１】特開平７−１３２２５号公報
【特許文献２】特開２００４−１５３３２４号公報
【発明の概要】
【発明が解決しようとする課題】
【０００４】
しかしながら、特許文献１、２に開示された従来の撮影システムは、何れも電波を用いた制御信号を撮影規制被写体近傍のエリアに送信して撮影禁止やストロボ発光禁止等の撮影規制を行うものである。よって、エリア内に撮影装置が入っていれば、その撮影装置が撮影規制被写体と関係の無い方向に向けられていても、その撮影装置は制御信号を受信するため撮影規制を受けるという問題があった。
【０００５】
本発明は、このような事情に鑑みてなされたもので、撮影規制被写体の撮影を確実に規制することができる撮影システム及び光通信装置並びに撮影装置を提供することを目的としている。
【課題を解決するための手段】
【０００６】
請求項１に記載の撮影システムの発明は、前記目的を達成するために、被写体の近傍に配置され、指向性を有する光線に所定のデータを変調して送信する光通信装置を備えるとともに、撮影の規制又は許可に関する前記データを特定の受光エリアに対して選択的に送信する手段を備えた送信装置と、指向性を有する前記光線を受光して、撮影の規制又は許可に関する前記データを受信し、この受信データに基づいて撮影・記録の規制・許可又は警告を行う撮影装置と、からなることを特徴としている。
【０００７】
請求項２に記載の撮影システムの発明は、前記目的を達成するために、被写体の近傍に配置され、指向性を有する光線に所定のデータを変調して送信する光通信装置を備えるとともに、撮影の規制又は許可に関する前記データを特定の受光エリアに対して選択的に送信する手段を備えた送信装置と、所定の角度範囲からの指向性を有する前記光線を受光して、撮影の規制又は許可に関する前記データを受信し、この受信データに基づいて撮影・記録の規制・許可又は警告を行う撮影装置と、からなることを特徴としている。
【０００８】
請求項２によれば、撮影装置が特定の受光エリアにあって、且つ、撮影装置を被写体方向に向けた時のみ、所定の角度範囲からの指向性を有する光線を受光し、撮影の規制・許可を行うことにより、きめ細やかな撮影制限が可能になる。例えば、展示会場全体の撮影や、展示場をバックにした記念撮影は可能であるが、肖像権のある展示物に撮影装置を向けてのアップ撮影は禁止することができる等の制限をかけることができる。
【０００９】
請求項３に記載の発明は、前記目的を達成するために、指向性を有する光線に所定のデータを変調して送信する光通信装置であって、撮影規制被写体周辺から所定の受光エリアに向けて前記所定のデータを前記光線により送信することを特徴としている。
【００１０】
請求項３に記載の光通信装置の発明によれば、指向性を有する光線に所定のデータを変調して送信する光通信装置を撮影規制被写体の近傍に設置し、この光通信装置から所定のデータを光線により所定の受光エリアに向けて送信する。光線は指向性があるため、撮影装置が撮影規制被写体に向いたときのみ所定のデータを受け取り、撮影が規制される。よって、撮影規制被写体の撮影を確実に規制することができる。一方で受光エリア内に撮影装置が入っていても、撮像装置が撮影規制被写体に向かなければ撮影規制信号である所定のデータを受信しないので、撮影装置は規制を受けず、例えばその受光エリア内で撮影規制被写体に隣接した撮影許可被写体を撮影することができる。
【００１１】
なお、光線として可視光を利用することもできる。可視光とは、電磁波のうち人間の目で見える波長のものをいい、ＪＩＳ  Ｚ８１２０の定義によれば、可視光に相当する電磁波の波長は、おおよそ短波長側が３６０ｎｍ〜４００ｎｍ、長波長側が７６０ｎｍ〜８３０ｎｍである。
【００１２】
ところで、特許文献１には、送信機により送信される電波に変えて光を発光させてもよいと記載されているが、この光は電波を送信する区域全域に照射される光を意味し、指向性を持つ１本の光線を意味するものではない。よって、電波に変えて光を発光させた特許文献１の撮影規制システムでは、そのエリア内に撮影装置が入っていれば、その撮影装置が撮影規制被写体と関係の無い方向に向けられていても、撮影装置は光を必ず受光するので、撮影規制を受けるという欠点がある。本発明は、指向性のある光線を使用することにより、特許文献１の欠点を解消できる。
【００１３】
請求項４に記載の撮影装置の発明は、撮影規制被写体の方向に向けられると、指向性を有する光線に所定のデータを変調して送信する光通信装置からの前記光線を受光し、該光線から前記所定のデータを読み出して、所定の動作を規制することを特徴としている。
【００１４】
請求項４に記載の発明によれば、撮影装置は、光通信装置からの光線を受光すると、その光線から所定のデータを読み出して所定の動作を規制し、その撮影規制被写体にかけられた規制を受ける。
【００１５】
請求項５に記載の撮影装置の発明は、請求項４に記載の発明において、前記撮影装置によって規制する前記所定の動作は、撮影動作又はストロボ発光動作であることを特徴としている。
【００１６】
請求項５に記載の発明によれば、撮影装置は、光通信装置からの光線を受光すると、光線から撮影動作又はストロボ発光動作を規制する信号を読み出し、撮影動作又はストロボ発光動作を規制する。したがって、盗撮が防止され、ストロボ撮影が禁止となる。
【００１７】
請求項６に記載の撮影装置の発明は、請求項４又は５に記載の発明において、前記撮影装置は、前記光線を受光したことを表示する表示手段を備えたことを特徴としている。
【００１８】
請求項６に記載の発明によれば、光通信装置からの光線を受光すると、撮影装置は、その表示手段に光線を受光したことを表示する。表示形式は問わないが、禁止文字、禁止記号を表示手段にスーパーインポーズ表示させることにより、撮影者はその被写体に撮影規制がかけられていること、及びその規制の内容を一目で把握することができる。
【００１９】
請求項７に記載の撮影装置の発明は、指向性を有する光線に所定のデータを変調して送信する光通信装置からの信号を、撮影レンズを介して受光する受光手段を備えたことを特徴としている。
【００２０】
請求項７に記載の発明によれば、光通信装置からの光線を、その撮影装置の撮影レンズを介して受光手段により受光する。これにより、撮影装置を撮影規制被写体に向ければ、すなわち、撮影レンズを撮影規制被写体に向ければ光線を必ず受光するので、撮影装置は所定のデータに含まれる撮影規制を確実に受ける。なお、撮影装置の撮像素子を、請求項７に記載した受光素子として兼用させてもよい。
【００２１】
請求項８に記載の撮影装置の発明は、指向性を有する光線に所定のデータを変調して送信する光通信装置からの信号を、撮影レンズ及び反射ミラーを介して受光する受光手段を備えたことを特徴としている。
【００２２】
請求項８に記載の発明によれば、光通信装置からの光線を、その撮影装置の撮影レンズ及び反射ミラーを介して受光手段により受光する。これにより、撮影装置を撮影規制被写体に向ければ、すなわち、撮影レンズを撮影規制被写体に向ければ光線を必ず受光するので、撮影装置は所定のデータに含まれる撮影規制を確実に受ける。また、撮影規制信号を受光する受光素子を、前記反射ミラーによって撮影装置のデッドスペースに配置することができるので、撮影装置の小型化を図ることができる。
【発明の効果】
【００２３】
本発明に係る撮影システム及び光通信装置並びに撮影装置によれば、指向性を有する光線に所定のデータを変調して送信する光通信装置を撮影規制被写体の近傍に設置し、光通信装置から光線所定の受光エリアに向けて送信する。光線は指向性があるため、撮影装置が撮影規制被写体に向いたときのみ所定のデータに含まれる内容の撮影が規制される。したがって、撮影規制被写体の撮影を確実に規制することができる。一方で受光エリア内に撮影装置が入っていても、撮像装置が撮影規制被写体に向かなければ光線を受信しないので、撮影装置は規制を受けず、その受光エリア内で撮影規制被写体に隣接した撮影許可被写体を撮影することができる。
【図面の簡単な説明】
【００２４】
【図１】実施の形態のデジタルカメラ及び光通信装置が適用された撮影規制システムの構造図
【図２】図１に示したデジタルカメラを前面側から視た斜視図
【図３】図１に示したデジタルカメラの全体構成を示したブロック図
【図４】図１に示した撮影規制システムのフローチャート
【図５】他のデジタルカメラの全体構成を示したブロック図
【図６】図６のモニタに表示されるスーパーインポーズ画像の一例を示した説明図
【図７】他のデジタルカメラの全体構成を示したブロック図
【発明を実施するための形態】
【００２５】
以下、添付図面に従って本発明に係る撮影システム及び光通信装置並びに撮影装置の好ましい実施の形態について説明する。なお、以下の説明では、本発明の撮影装置を、電子カメラであるデジタルカメラに適用した例について説明するが、本発明はこれに限定されるものではなく、カメラ機能を有するカメラ付き携帯電話機に適用可能である。
【００２６】
図１は、実施の形態のデジタルカメラ１０及び光通信装置１２が適用された撮影規制システム（撮影システム）１４の全体構造図である。この光通信装置１２は、美術館の撮影規制絵画（撮影規制被写体）１６の近傍に設置され、撮影規制絵画１６を撮影しようとするデジタルカメラ１０に向けて撮影規制信号（指向性を有する光線に所定のデータを変調して送信される信号）を送信する。このデジタルカメラ１０は、鑑賞者が携帯するカメラであるが、この美術館では入館時に携帯したカメラがチェックされ、当該撮影規制システム１４に適合したカメラ、すなわち撮影規制信号を受信し自己規制を行うカメラのみ持ち込みが許されている。
【００２７】
撮影規制信号の発信機は、撮影規制絵画１６の両側に設置された発光ダイオード（ＬＥＤ）１８、１８であり、これらのＬＥＤ１８、１８は変調器２０によって変調された指向性のある可視光を点滅発光する。例えばＬＥＤ１８、１８は、撮影規制絵画１６が撮影禁止被写体の場合には１秒間においてｍ回ＯＮ／ＯＦＦするように不図示の発光制御部によ
り制御され、また、撮影規制絵画１６がストロボ発光禁止被写体の場合には１秒間においてｎ回ＯＮ／ＯＦＦするように発光制御部により制御されている。よって、撮影規制信号は可視光の点滅信号として発信される。なお、変調器２０は、撮影禁止被写体であること、ストロボ発光禁止であることをデジタルのコードに変調することも含む。また、可視光の光線に限定されるものではなく、指向性があれば赤外光でもよい。
【００２８】
更にまた、実施の形態では、光通信装置１２を美術館に設置する例について説明するが、美術館に限定されるものではなく、例えば観光地の名所旧跡等のように作品の保護を目的としてストロボ撮影が禁止されたり撮影そのものが禁止されたりしている被写体の周辺に設置してもよい。また、撮影規制信号の受光エリアは、デジタルカメラ１０によって撮影規制絵画１６を撮影可能なエリアを包含している。可視光の投影形状を、撮影に好適なエリアを内包するような円形に形成してもよい。更に、ＬＥＤ１８、１８は、鑑賞者が点滅を気にしないで済むように高周波領域で点滅制御、すなわち、見た目には点灯しているかのように点滅制御されている。また、可視光の照射距離を長くとることにより、望遠レンズを用いての盗撮に規制をかけることができる。
【００２９】
図２は、デジタルカメラ１０を前面側から視た斜視図である。
【００３０】
同図に示すデジタルカメラ１０は、カメラケース２２の前面の左側に前方に膨らんだグリップ部２４が形成され、グリップ部２４が位置するカメラケース２２の上面にはレリーズボタン２６が配置されている。また、カメラケース２２の前面の略中央部には、撮影レンズ２８を保持したレンズ鏡胴３０が前方に突出して設けられている。更に、カメラケース２２の前面の右側上部には、ストロボ発光部３２が設けられている。
【００３１】
撮影レンズ２８の結像位置には、図３に示すＣＣＤ３４が設けられている。ＣＣＤ３４の結像面に結像された被写体像はＣＣＤ３４によって光電変換された後、その電気信号が撮像部３６に出力される。撮像部３６は、前記電気信号を映像信号に変換してモニタ（表示手段）３８に出力するとともに、内蔵のＲＡＭ又は外部メモリカード等の記録部４０に例えばＪＰＥＧファイルとして記録する。
【００３２】
符号４２は、デジタルカメラ１０全体を統括制御する制御部である。この制御部４２はレリーズボタン２６からのレリーズ信号に基づいて撮像部３４及びＣＣＤ３４を制御するとともに、ストロボスイッチ４４のＯＮ操作に基づき発光回路４６を制御してストロボ発光部３２のキセノン管４８を発光させる。
【００３３】
また、図２の如くデジタルカメラ１０のレンズ鏡胴３０の内周面には、フォトダイオード（ＦＤ：受光手段）５０が取り付けられている。このフォトダイオード５０は、図１に示した光通信装置１２から発光された指向性のある可視光の点滅信号を受光する受光素子であり、撮影レンズ２８によって撮影されないように撮影レンズ２８の画角外に設けられるとともに、その受光軸Ｐ１が撮影レンズ２８の光軸Ｐ２と平行になるように設定されている。よって、撮影レンズ２８を撮影規制絵画１６に向けると、フォトダイオード５０は光通信装置１２からの可視光の点滅信号を必ず受光する。なお、フォトダイオード５０の取り付け位置は、レンズ鏡胴３０の内周面に限定されるものではなく、例えばレンズ鏡胴３０の外周面又はレンズ鏡胴３０の近傍位置等、撮影レンズ２８に近接した位置であればよい。
【００３４】
フォトダイオード５０によって受光した可視光の点滅信号は、図３に示すＡＭ復調器５２によって復調され、そのパルス波形のＯＮ信号が制御部４２によってカウントされる。制御部４２はカウントしたＯＮ信号数に基づき撮像部３６及び／又は発光回路部４６を規制制御する。
【００３５】
モニタ３８は、図２の如くグリップ部２４から最も離間したカメラケース２２の背面の左側に配置されている。また、カメラケース２２の背面にはモニタ３８の他、ストロボスイッチ４４、電源メインスイッチ５４、撮影・画像再生のモード切換スイッチ５６及びその他の操作ボタン等がそれぞれ所定の位置に配置されている。
【００３６】
次に、前記の如く構成された撮影規制システム１４の作用について、図４に示すフローチャートを参照して説明する。
【００３７】
まず、デジタルカメラ１０のモードを撮影モードにリセットして（ステップ（Ｓ）１００）、デジタルカメラ１０を撮影規制絵画１６に向けると、光通信装置１２のＬＥＤ１８、１８から送信されている指向性のある可視光の撮影規制信号を、デジタルカメラ１０のフォトダイオード５０が受信する（Ｓ１１０）。そして、デジタルカメラ１０の制御部４２は、撮影規制モードであることを認識して、ＡＭ復調器５２により復調されたパルス波形のＯＮ信号をカウントする（Ｓ１２０）。そして、そのカウント数が１秒間においてｍ回であった場合には、その撮影規制絵画１６が撮影禁止被写体であることを制御部４２が認識して動作モードを撮影禁止モードに設定し、この後、撮像部３６を制御して撮影を不能（禁止）にする（Ｓ１３０）。なお、レリーズボタン２６によるレリーズを機械的に不作動状態にしたり、レンズバリアを備えたデジタルカメラの場合にはレンズバリアを機械的に閉じ状態にしたりして撮影禁止モードに設定してもよい。
【００３８】
また、カウント数が１秒間においてｎ回であった場合には、その撮影規制絵画１６がストロボ発光禁止被写体であることを制御部４２が認識して動作モードをストロボ非発光モードに設定し、この後、発光部４６を制御してストロボ発光を禁止する（Ｓ１４０）。この後、レリーズ操作を行うと（Ｓ１５０）、ストロボ発光が禁止された状態で絵画１６の撮影が行われる（Ｓ１６０）。なお、ＬＥＤ１８、１８から可視光が発信されていない場合には、デジタルカメラ１０には規制がかからないので、絵画１６をストロボを用いて通常撮影することができる。
【００３９】
以上の如く実施の形態の撮影規制システム１４によれば、可視光を変調して目視可能に送信する光通信装置１２を撮影規制絵画１６の近傍に設置し、この光通信装置１２から撮影規制信号を可視光により、デジタルカメラ１０の受光エリアに向けて送信する。可視光は指向性があるため、デジタルカメラ１０が撮影規制絵画１６に向いたときのみ撮影が規制される。よって、撮影規制絵画１６の撮影を確実に規制することができる。
【００４０】
一方で前記受光エリア内にデジタルカメラ１０が入っていても、デジタルカメラ１０が撮影規制絵画１６に向かなければ、フォトダイオード５０によって撮影規制信号を受信することはないので、デジタルカメラ１０は規制を受けず、例えばその受光エリア内で撮影規制絵画１６に隣接した撮影許可被写体を撮影することができる。
【００４１】
図５は、デジタルカメラ１００の他の実施の形態を示すブロック図であり、図３に示したデジタルカメラ１０の構成と同一又は類似の部材については同一の符号を付してその説明は省略する。
【００４２】
図５に示したデジタルカメラ１００は、モニタ３８に文字と記号とを重ねて表示させるためのスーパーインポーズ回路６０及び表示回路６２を備えている。このスーパーインポーズ回路６０は、ＬＥＤ１８、１８から撮影規制信号を受光すると、その規制内容に対応した禁止文字、禁止記号、マークをモニタ３８にスーパーインポーズ表示することにより撮影者に報知する。この表示内容は、図６（Ａ）のように被写体の線図６４に「撮影禁止」又は「ストロボ発光禁止」（不図示）の文字６６を重ねたものや、図６（Ｂ）のように
被写体の線図６４に「×」の撮影禁止マーク６８を重ねたものを例示できる。これにより、撮影者はその被写体に撮影規制がかけられていること、及びその規制の内容を一目で把握することができる。
【００４３】
図７は、デジタルカメラ２００の他の実施の形態を示すブロック図であり、図３に示したデジタルカメラ１０の構成と同一又は類似の部材については同一の符号を付してその説明は省略する。
【００４４】
図７に示すデジタルカメラ２００は、ＬＥＤ１８、１８からの可視光を受光するフォトダイオード５０がカメラケースに内蔵されて構成されている。すなわち、撮影レンズ２８の光路には、ハーフミラー（反射ミラー）７０が光軸Ｐ２に対して傾斜して配置され、ハーフミラー７０を透過したＬＥＤ可視光を含む被写体光はＣＣＤ３４に受光される。また、ハーフミラー７０で反射されたＬＥＤ可視光を含む被写体光は、レンズ７２によってフォトダイオード５０に受光される。制御部４２は、例えば、撮影規制被写体周辺の輝度を示すしきい値を有しており、そのしきい値を超えたパルス波形の信号をカウントすることにより、ＬＥＤ１８の点滅信号のみ取得している。
【００４５】
このデジタルカメラ２００によれば、デジタルカメラ２００を撮影規制被写体に向ければ、すなわち、撮影レンズ２８を撮影規制被写体に向ければＬＥＤ１８，１８からの撮影規制信号を必ず受光するので、撮影規制を確実に受けることになる。また、フォトダイオード５０を、ハーフミラー７０によってデジタルカメラ２００のデッドスペースに配置することができ、デジタルカメラ２００の小型化を図ることができる。
【００４６】
また、ハーフミラー７０で反射させることなく、撮影レンズ２８を通過したＬＥＤ可視光を含む被写体光を受光する位置に、フォトダイオード５０を直接配置してもよい。
【００４７】
更に、本発明では、図1の如くデジタルカメラ１０が光線を受光する特定の受光エリア
にあって、且つ、デジタルカメラ１０を被写体１６の方向に向けた時のみ、所定の角度範囲からの指向性を有する光線を受光し、撮影の規制・許可を行うことにより、きめ細やかな撮影制限が可能になる。例えば、展示会場全体の撮影や、展示場をバックにした記念撮影は可能であるが、肖像権のある展示物に撮影装置を向けてのアップ撮影は禁止することができる等の制限をかけることができる。
【符号の説明】
【００４８】
１０、１００、２００…デジタルカメラ、１２…光通信装置、１４…撮影規制システム、１６…撮影規制絵画、１８…ＬＥＤ、２０…変調器、２２…カメラケース、２６…レリーズボタン、２８…撮影レンズ、３０…レンズ鏡胴、３２…ストロボ発光部、３４…ＣＣＤ、３６…撮像部、３８…モニタ、４０…記録部、４２…制御部、４４…ストロボスイッチ、４６…発光回路、５０…フォトダイオード
【図１】
2011254543.tif 000003
【図２】
2011254543.tif 000004
【図３】
2011254543.tif 000005
【図４】
2011254543.tif 000006
【図５】
2011254543.tif 000007
【図６】
2011254543.tif 000008
【図７】
2011254543.tif 000009
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
撮影レンズと、
指向性を有する可視光線に所定のデータを人が明滅認識不可能な高周波変調して送信する光通信装置からの光線を、前記撮影レンズを介して受光しデータとして出力するとともに、前記撮影レンズを介して被写体の撮影が可能な撮像素子と、
前記撮像素子により撮影した被写体を表す画像を記録する記録部を持つ撮影装置において、
前記撮像素子が出力した前記データにより、前記撮影装置の動作モードを所定のモードに設定可能な制御部を備えることを特徴とする撮影装置。
【請求項２】
前記撮影レンズは、前記被写体方向からの、前記光通信装置からの光線のみを受光するように構成されている請求項１に記載の撮影装置。
【請求項３】
前記撮影装置は、カメラ機能を有するカメラ付き携帯電話機である請求項１、又は２に記載の撮影装置。
【手続補正３】
【補正対象書類名】明細書
【補正対象項目名】０００６
【補正方法】変更
【補正の内容】
【０００６】
本発明は、撮影レンズと、指向性を有する可視光線に所定のデータを人が明滅認識不可能な高周波変調して送信する光通信装置からの光線を、前記撮影レンズを介して受光しデータとして出力するとともに、前記撮影レンズを介して被写体の撮影が可能な撮像素子と、前記撮像素子により撮影した被写体を表す画像を記録する記録部を持つ撮影装置において、前記撮像素子が出力した前記データにより、前記撮影装置の動作モードを所定のモードに設定可能な制御部を備えることを特徴とする撮影装置を提供する。
また、前記撮影レンズは、前記被写体方向からの、前記光通信装置からの光線のみを受光するように構成されている。
また、前記撮影装置は、カメラ機能を有するカメラ付き携帯電話機である。
被写体の近傍に配置され、指向性を有する光線に所定のデータを変調して送信する光通信装置を備えるとともに、撮影の規制又は許可に関する前記データを特定の受光エリアに対して選択的に送信する手段を備えた送信装置と、指向性を有する前記光線を受光して、撮影の規制又は許可に関する前記データを受信し、この受信データに基づいて撮影・記録の規制・許可又は警告を行う撮影装置と、からなる。
【手続補正４】
【補正対象書類名】明細書
【補正対象項目名】０００７
【補正方法】変更
【補正の内容】
【０００７】
被写体の近傍に配置され、指向性を有する光線に所定のデータを変調して送信する光通信装置を備えるとともに、撮影の規制又は許可に関する前記データを特定の受光エリアに対して選択的に送信する手段を備えた送信装置と、所定の角度範囲からの指向性を有する前記光線を受光して、撮影の規制又は許可に関する前記データを受信し、この受信データに基づいて撮影・記録の規制・許可又は警告を行う撮影装置と、からなる。
【手続補正５】
【補正対象書類名】明細書
【補正対象項目名】０００８
【補正方法】変更
【補正の内容】
【０００８】
撮影装置が特定の受光エリアにあって、且つ、撮影装置を被写体方向に向けた時のみ、所定の角度範囲からの指向性を有する光線を受光し、撮影の規制・許可を行うことにより、きめ細やかな撮影制限が可能になる。例えば、展示会場全体の撮影や、展示場をバックにした記念撮影は可能であるが、肖像権のある展示物に撮影装置を向けてのアップ撮影は禁止することができる等の制限をかけることができる。
【手続補正６】
【補正対象書類名】明細書
【補正対象項目名】０００９
【補正方法】変更
【補正の内容】
【０００９】
指向性を有する光線に所定のデータを変調して送信する光通信装置であって、撮影規制被写体周辺から所定の受光エリアに向けて前記所定のデータを前記光線により送信する。
【手続補正７】
【補正対象書類名】明細書
【補正対象項目名】００１０
【補正方法】変更
【補正の内容】
【００１０】
指向性を有する光線に所定のデータを変調して送信する光通信装置を撮影規制被写体の近傍に設置し、この光通信装置から所定のデータを光線により所定の受光エリアに向けて送信する。光線は指向性があるため、撮影装置が撮影規制被写体に向いたときのみ所定のデータを受け取り、撮影が規制される。よって、撮影規制被写体の撮影を確実に規制することができる。一方で受光エリア内に撮影装置が入っていても、撮像装置が撮影規制被写体に向かなければ撮影規制信号である所定のデータを受信しないので、撮影装置は規制を受けず、例えばその受光エリア内で撮影規制被写体に隣接した撮影許可被写体を撮影することができる。
【手続補正８】
【補正対象書類名】明細書
【補正対象項目名】００１３
【補正方法】変更
【補正の内容】
【００１３】
撮影規制被写体の方向に向けられると、指向性を有する光線に所定のデータを変調して送信する光通信装置からの前記光線を受光し、該光線から前記所定のデータを読み出して、所定の動作を規制する。
【手続補正９】
【補正対象書類名】明細書
【補正対象項目名】００１４
【補正方法】変更
【補正の内容】
【００１４】
撮影装置は、光通信装置からの光線を受光すると、その光線から所定のデータを読み出して所定の動作を規制し、その撮影規制被写体にかけられた規制を受ける。
【手続補正１０】
【補正対象書類名】明細書
【補正対象項目名】００１５
【補正方法】変更
【補正の内容】
【００１５】
前記撮影装置によって規制する前記所定の動作は、撮影動作又はストロボ発光動作である。
【手続補正１１】
【補正対象書類名】明細書
【補正対象項目名】００１６
【補正方法】変更
【補正の内容】
【００１６】
撮影装置は、光通信装置からの光線を受光すると、光線から撮影動作又はストロボ発光動作を規制する信号を読み出し、撮影動作又はストロボ発光動作を規制する。したがって、盗撮が防止され、ストロボ撮影が禁止となる。
【手続補正１２】
【補正対象書類名】明細書
【補正対象項目名】００１７
【補正方法】変更
【補正の内容】
【００１７】
前記撮影装置は、前記光線を受光したことを表示する表示手段を備えている。
【手続補正１３】
【補正対象書類名】明細書
【補正対象項目名】００１８
【補正方法】変更
【補正の内容】
【００１８】
光通信装置からの光線を受光すると、撮影装置は、その表示手段に光線を受光したことを表示する。表示形式は問わないが、禁止文字、禁止記号を表示手段にスーパーインポーズ表示させることにより、撮影者はその被写体に撮影規制がかけられていること、及びその規制の内容を一目で把握することができる。
【手続補正１４】
【補正対象書類名】明細書
【補正対象項目名】００１９
【補正方法】変更
【補正の内容】
【００１９】
指向性を有する光線に所定のデータを変調して送信する光通信装置からの信号を、撮影レンズを介して受光する受光手段を備えている。
【手続補正１５】
【補正対象書類名】明細書
【補正対象項目名】００２０
【補正方法】変更
【補正の内容】
【００２０】
光通信装置からの光線を、その撮影装置の撮影レンズを介して受光手段により受光する。これにより、撮影装置を撮影規制被写体に向ければ、すなわち、撮影レンズを撮影規制被写体に向ければ光線を必ず受光するので、撮影装置は所定のデータに含まれる撮影規制を確実に受ける。なお、撮影装置の撮像素子を、前記受光素子として兼用させてもよい。
【手続補正１６】
【補正対象書類名】明細書
【補正対象項目名】００２１
【補正方法】変更
【補正の内容】
【００２１】
指向性を有する光線に所定のデータを変調して送信する光通信装置からの信号を、撮影レンズ及び反射ミラーを介して受光する受光手段を備えている。
【手続補正１７】
【補正対象書類名】明細書
【補正対象項目名】００２２
【補正方法】変更
【補正の内容】
【００２２】
光通信装置からの光線を、その撮影装置の撮影レンズ及び反射ミラーを介して受光手段により受光する。これにより、撮影装置を撮影規制被写体に向ければ、すなわち、撮影レンズを撮影規制被写体に向ければ光線を必ず受光するので、撮影装置は所定のデータに含まれる撮影規制を確実に受ける。また、撮影規制信号を受光する受光素子を、前記反射ミラーによって撮影装置のデッドスペースに配置することができるので、撮影装置の小型化を図ることができる。